(57)【特許請求の範囲】
【請求項１】
上面にワークトップを有し、底面が四角形状をなす厨房台本体を備える厨房台であって、
厨房台本体を底面側の四隅で支持するために床面上に設置される４本の脚部材と、
それら脚部材を連結して一体化するために各々が厨房台本体底面の外周に沿って配置される４本の連結フレーム部材と、
を備えるとともに、前記脚部材と前記連結フレーム部材とのいずれか一方に設けられた連結用の差込口に対し、他方に設けられた差込部が差し込まれる形で双方が嵌合する形で連結され、さらに締結部材によって双方が締結固定されることにより、それら全ての脚部材と連結フレーム部材とが一体化された一体構造体をなす厨房台用架台が形成され、さらに、
当該厨房台用架台の上に、前記厨房台本体を面接触する形で載置され、その面接触部において一体に固定されることにより、全体が１つの構造体として一体化されており、さらに、
前記厨房台用架台は、連結された前記脚部材と前記連結フレーム部材のそれぞれの上面をまたがる形で載置され、それぞれに対し一体に固定されるスペーサ部材を備えており、当該スペーサ部材と、全ての前記脚部材及び前記連結フレーム部材とが一体化された一体構造体となっていることを特徴とする厨房台。
【請求項２】
前記連結フレーム部材は、各々が、前記厨房台本体の底面側四隅に位置する前記脚部材をつなぐ形で連結し、それら脚部材を含む全体が前記厨房台本体の底面外周に沿って環状に配置される一方、
前記スペーサ部材は、前記厨房台本体の底面外周に沿った１つの環状のフレーム部材として形成されており、前記連結フレーム部材及び前記脚部材の上面に対し環状の接触面を有する形で一体に固定される請求項１に記載の厨房台。
【請求項３】
前記スペーサ部材は、環状に形成された前記連結フレーム部材に対し内側に偏った位置に一体に固定される環状のフレーム部材であり、その外周面が、その上に設置される厨房台本体の外縁位置よりも内側に位置している請求項２に記載の厨房台。
【請求項４】
前記スペーサ部材は、その外周面が前記厨房台本体の外縁位置よりも内側に位置する一方で、前記連結フレーム部材は、その外周面が前記スペーサ部材の外周面よりも外側に位置し、前記厨房台本体の外縁位置と一致している請求項３に記載の厨房台。
【請求項５】
前記脚部材は、その下部が棒状の脚部として形成されており、当該脚部の水平断面の外縁形状は、第一側において、その先端からその逆の第二側に向かうに従い滑らかに幅が広がる湾曲形状をなし、第二側においても、その先端からその逆の第一側に向かうに従い滑らかに幅が広がる湾曲形状をなすとともに、第一側における先端の湾曲形状の内接円の半径が、第二側における先端の湾曲形状の内接円の半径よりも小となっている請求項１ないし請求項４のいずれか１項に記載の厨房台。
【請求項６】
上面にワークトップを有し、底面が四角形状をなす厨房台本体を備える厨房台であって、
厨房台本体を底面側の四隅で支持するために床面上に設置される４本の脚部材と、
それら脚部材を連結して一体化するために各々が厨房台本体底面の外周に沿って配置される４本の連結フレーム部材と、
を備えるとともに、前記脚部材と前記連結フレーム部材とのいずれか一方に設けられた連結用の差込口に対し、他方に設けられた差込部が差し込まれる形で双方が嵌合する形で連結され、さらに締結部材によって双方が締結固定されることにより、それら全ての脚部材と連結フレーム部材とが一体化された一体構造体をなす厨房台用架台が形成され、さらに、
当該厨房台用架台の上に、前記厨房台本体を面接触する形で載置され、その面接触部において一体に固定されることにより、全体が１つの構造体として一体化されており、さらに、
前記脚部材は、その下部が棒状の脚部として形成されており、当該脚部の水平断面の外縁形状は、第一側において、その先端からその逆の第二側に向かうに従い滑らかに幅が広がる湾曲形状をなし、第二側においても、その先端からその逆の第一側に向かうに従い滑らかに幅が広がる湾曲形状をなすとともに、第一側における先端の湾曲形状の内接円の半径が、第二側における先端の湾曲形状の内接円の半径よりも小となっていることを特徴とする厨房台。
【請求項７】
前記厨房台本体は、奥行き幅の２倍以上の間口を有する一方で、
前記脚部材は、その下部に、少なくとも５０ｍｍ以上の高さを有し、なおかつ水平断面が直径１０ｍｍ以上３０ｍｍ以下の外接円を有する形状をなす請求項１ないし請求項６のいずれか１項に記載の厨房台。
【請求項８】
前記連結フレーム部材は、前記厨房台本体の底面側の四隅にある脚部材のうち、該厨房台本体の底面外周に沿って互いに隣接するもの同士を互いに連結するよう直線状に延出する部材である請求項１ないし請求項７のいずれか１項に記載の厨房台。
【請求項９】
前記連結フレーム部材は、筒形状にて形成された中空フレーム部材であり、その端部の開口がそのまま前記差込口とされている請求項１ないし請求項８のいずれか１項に記載の厨房台。
【請求項１０】
前記差込部は、前記厨房台本体の底面外周方向に向けて水平に延出する四角柱状突出部として形成され、前記差込口は、当該四角柱状突出部が収容される四角形状の開口として形成されている請求項１ないし請求項９のいずれか１項に記載の厨房台。
【請求項１１】
前記差込部は、その先端部が先細りのテーパー形状を有する一方で、その逆側の基端部においては、上下面及び両側面がそれぞれ互いに平行な平坦面として水平に延出した直方体状をなしている請求項１ないし請求項１０のいずれか１項に記載の厨房台。
【請求項１２】
前記厨房台用架台上に、前記厨房台本体が載置され、締結部材により双方が一体に固定された一体構造体となっている請求項１ないし請求項１１のいずれか１項に記載の厨房台。
【請求項１３】
前記連結フレーム部材は、ステンレス製であり、前記脚部材は、亜鉛ダイキャストにて形成され、表面をステンレス色とする仕上げが施されている請求項１ないし請求項１２のいずれか１項に記載の厨房台。
【請求項１４】
前記連結フレーム部材は、前記厨房台本体の底面外周に沿って環状に配置されており、その内側において、当該厨房台本体の底面に、その底面を支持するために床面上に設置される補助脚部材が固定される請求項１ないし請求項１３のいずれか１項に記載の厨房台。
【請求項１５】
前記厨房台本体は、間口方向に横並びする複数の収納部を固定して一体化された収納ユニットであり、前記補助脚部材は、それら隣接する収納部の端部間をまたがる形で配置され、そのうちの一方の収納部に対し上端部が固定される一方、他方の収納部に対しては非固定とされ、上端部の上に載置された状態となっている請求項１４に記載の厨房台。
【発明の詳細な説明】
【技術分野】
【０００１】
本発明は、収納ユニット等の厨房台本体を下側で支持するために床面上に設置される４本の脚部を有した支持部材をなす厨房台用架台、及びこれにより支持された厨房台に関する。
【背景技術】
【０００２】
近年、厨房家具の一つである厨房台には、様々なデザインのものが登場しており、例えば特許文献１のような特異なデザインのものもある。また、特許文献１のようなデザインとは異なり、厨房台自体に重力・重厚感を感じさせない斬新なデザインのものについても開発が望まれている。
【先行技術文献】
【特許文献】
【０００３】
【特許文献１】特開２００６−６１６３４号公報
【発明の概要】
【発明が解決しようとする課題】
【０００４】
このように、厨房台自体に重力・重厚感を感じさせないデザインの実現を目指す上で、その究極の目標とは、厨房台に対し「浮遊感」を付与することにある。
【０００５】
しかしながら、厨房台に「浮遊感」を与えるためには、厨房台下側に配置される脚部等の支持部材の存在感を希薄にすることが重要となる。これを実現するためには、単純に脚部を細くし、その配置数をできる限り少なく、例えば四角形状の底面に対しその四隅のみに配置するようにすればよい。ところが、天板上に加熱機器やシンクなどの水回りを備える厨房台の場合、作業面側の間口が１８００ｍｍ〜４０００ｍｍ等のように長くなる場合があるため、厨房台本体の四角形状の底面四隅に脚部を配置するだけでは、その重さに耐えることができず、ハの字状に折れ曲がってしまう等、支持できなかった。このため従来の厨房台では、通常は４本の脚部ではなく、間口の中央部にも脚部が配置されているが、これだと厨房台自体に重力・重厚感を感じさせないデザインにはならない。
【０００６】
本発明の課題は、存在感が希薄であるにもかかわらず十分な強度を有した状態で厨房台本体を支持可能な厨房台用架台を実現し、これによって支持された厨房台を提供することにある。
【課題を解決するための手段および発明の効果】
【０００７】
上記課題を解決するために、本発明の厨房台の第一は、
上面にワークトップを有し、底面が四角形状をなす厨房台本体を備える厨房台であって、
厨房台本体を底面側の四隅で支持するために床面上に設置される４本の脚部材と、
それら脚部材を連結して一体化するために各々が厨房台本体底面の外周に沿って配置される４本の連結フレーム部材と、
を備えるとともに、前記脚部材と前記連結フレーム部材とのいずれか一方に設けられた連結用の差込口に対し、他方に設けられた差込部が差し込まれる形で双方が嵌合する形で連結され、さらに締結部材によって双方が締結固定されることにより、それら全ての脚部材と連結フレーム部材とが一体化された一体構造体をなす厨房台用架台が形成され、さらに、
当該厨房台用架台の上に、前記厨房台本体を面接触する形で載置され、その面接触部において一体に固定されることにより、全体が１つの構造体として一体化されており、さらに、
前記厨房台用架台は、連結された前記脚部材と前記連結フレーム部材のそれぞれの上面をまたがる形で載置され、それぞれに対し一体に固定されるスペーサ部材を備えており、当該スペーサ部材と、全ての前記脚部材及び前記連結フレーム部材とが一体化された一体構造体となっていることを特徴とする。
本発明の厨房台の第二は、
上面にワークトップを有し、底面が四角形状をなす厨房台本体を備える厨房台であって、
厨房台本体を底面側の四隅で支持するために床面上に設置される４本の脚部材と、
それら脚部材を連結して一体化するために各々が厨房台本体底面の外周に沿って配置される４本の連結フレーム部材と、
を備えるとともに、前記脚部材と前記連結フレーム部材とのいずれか一方に設けられた連結用の差込口に対し、他方に設けられた差込部が差し込まれる形で双方が嵌合する形で連結され、さらに締結部材によって双方が締結固定されることにより、それら全ての脚部材と連結フレーム部材とが一体化された一体構造体をなす厨房台用架台が形成され、さらに、
当該厨房台用架台の上に、前記厨房台本体を面接触する形で載置され、その面接触部において一体に固定されることにより、全体が１つの構造体として一体化されており、さらに、
前記脚部材は、その下部が棒状の脚部として形成されており、当該脚部の水平断面の外縁形状は、第一側において、その先端からその逆の第二側に向かうに従い滑らかに幅が広がる湾曲形状をなし、第二側においても、その先端からその逆の第一側に向かうに従い滑らかに幅が広がる湾曲形状をなすとともに、第一側における先端の湾曲形状の内接円の半径が、第二側における先端の湾曲形状の内接円の半径よりも小となっていることを特徴とする。
【０００８】
上記本発明の構成によれば、シンク及び加熱機器が間口方向に横並びするような間口の広い厨房台であっても、４本の細い脚を有する厨房台用架台によって十分に支持することが可能となる。具体的にいえば、本発明の厨房台用架台は、４本の脚部材が一体の構造体（塊）となって形成されていることにより、単独で脚が存在する場合よりもその強度が増しており、間口の広い厨房台本体の支持を可能としている。具体的に言えば、本発明の厨房台用架台は、全ての脚部材を連結フレーム部材によって一体に連結し、全体を一体の構造体（塊）としている。またその連結には、差込嵌合構造を利用しているため強度が高く、また、組み付けも差込嵌合するだけであるから容易で、作業者のスキルによって組み付け精度が変わるようなこともない。また、厨房台用架台が支持する厨房台本体も、厨房台用架台と一体化されて１つの構造体となっていることで、脚部材部分の強度は寄り一層増しており、より間口の広い厨房台本体であっても支持することが可能となっている。
【０００９】
このように、本発明の厨房台は、厨房台本体を４本の（脚部材）によって支持する構造が実現されているので、脚部材を、存在ができるだけ希薄となるように細くすることが可能となり、厨房台が浮遊しているかのような従来にないイメージの厨房台が実現されている。
【００１０】
本発明においては、厨房台本体は、奥行き幅の２倍以上の間口を有するものとすることができ、脚部材は、その下部に、少なくとも５０ｍｍ以上の高さを有し、なおかつ水平断面が直径１０ｍｍ以上３０ｍｍ以下の外接円を有する形状をなすものとできる。従来、上記のような間口の広い厨房台本体の底面四隅に、上記のような４本の細い脚をそれぞれ配置するだけでは、脚がその重さに耐えきれず、折れ曲がってしまうため、このような厨房台は見られなかった。ところが、上記本発明の構造が採用されることにより、上記のような間口の広い厨房台本体を、上記のような４本の細い脚（脚部材）のみによって支持しても、脚が折れ曲がることなく十分な強度を有して支持することが可能となり、従来に無い浮遊感を有するような厨房台を実現することが可能となった。
【００１１】
本発明において、連結フレーム部材は、厨房台本体の底面側の四隅にある脚部材のうち、該厨房台本体の底面外周に沿って互いに隣接するもの同士を互いに連結するよう直線状に延出する部材とすることができる。この構成により、シンプルな直線形状を有する連結フレーム部材によって、厨房台本体の底面外周に沿ったシンプルな環状の構造体が形成される。全体がシンプルな形状となることで各部材の数を削減することができる。
【００１２】
本発明において、差込口は、前記差込部を差込方向回りにて取り囲む筒形状にて形成することができる。この構成によれば、差込部は、その外周を取り囲まれる形で安定的に差込口内に差し込まれるため、高い連結強度が得られる。
【００１３】
具体的にいえば、差込部は、前記厨房台本体の底面外周方向に向けて水平に延出する四角柱状突出部として形成することができ、前記差込口は、当該四角柱状突出部が収容される四角形状の開口として形成することができる。この構成によれば、差込部である四角柱状突出部が、その外周を四方から取り囲まれる形で、四角形状の開口をなす差込部に対し安定的に差し込まれ、互いが嵌合状態となるため、高い連結強度が得られる。
【００１４】
本発明において、連結フレーム部材は、各々が筒形状にて形成された角パイプであり、その端部の開口をそのまま前記差込口とすることができる。これにより、筒状に形成された連結フレーム部材の端部をそのまま差込口として利用することができるので、構造がよりシンプルなものとなる。
【００１５】
本発明において、差込部は、先端に向けて先細りの形状とすることができる。この構成によれば、差込部を容易に差込口に差し込むことが可能となる。具体的に言えば、差込部は、その上面が差込テーパー面として先端に向けて下る傾斜面を有して形成される一方で、その下面は水平な平坦面として形成することができる。差込口に嵌合挿入される差込部は、差込口をなす部材に対し仮面がわからネジ固定されるので、差込口内部の下側の内面と、差込部の下面とが水平な平坦面であることにより、互いが面接触した安定した状態でネジの締め付けができる。また、例えば差込部は、その両側面が先端に向かうほど互いに接近する傾斜面を有して形成することができる。
【００１６】
本発明において、差込部は、その付け根部分（根元部分）となる基端部において、上下面及び両側面がそれぞれ互いに平行な平坦面として水平に延出するよう構成できる。この構成によると、先端側に傾斜面を設けておくことで差込口への挿入が容易としつつも、最終的には、この基端部が差込口に挿入されることで、双方をより強固に連結した状態とすることができる。
【００１７】
本発明において、連結フレーム部材は、上面が平坦面として形成される一方で、前記脚部材は、前記差込部が設けられる上端部の、該差込部を除く上端面が平坦面として形成されており、該差込部が前記連結フレーム部材の端部の差込口に差し込まれた際には、該連結フレーム部材の前記上面と前記脚部材の前記上端面とが面一でつながるよう構成できる。この構成によれば、連結フレーム部材と、脚部材とからなる構造体の最上面がすべて平坦となるため、この上に、例えば厨房台本体やスペーサ部材を配置しやすい。
【００１８】
本発明において、差込口には、少なくともその下面を形成する下面部にネジ部材を挿通させる挿通孔を予め設け、前記差込部には、ネジ穴を予め設けておき、前記差込口に前記差込部が差し込まれた状態において、前記挿通孔を挿通する形で前記ネジ穴にネジ部材をねじ込むことにより、前記差込口に前記差込部を固定することを可能に構成できる。この構成によれば、差込部の差込口へのはめ込みだけでなく、ネジによってより強固に固定できる。具体的に言えば、前記差込部は、その基端部と先端部との双方に前記ネジ穴を設けることができる。差込部の長さ方向において２か所にネジ穴があれば、より安定的に固定できる。さらに、そのネジ穴は、基端部と先端部にそれぞれ複数ずつ存在する。これにより、より強固で安定的な固定が可能となる。例えば、それらネジ穴を、差込部の幅方向に例えば２個ずつ並んで設けることができる。
【００１９】
例えば、本発明において、脚部材と連結フレーム部材の表面の見え方を同様にするとよい。これにより、脚部材と連結フレーム部材に一体感が生まれて、個別の存在感を消すことができ、脚部の印象を全体の中に埋没させることができる。例えば、連結フレーム部材をステンレス製とするならば、脚部材は、亜鉛ダイキャストにて形成し、その表面をステンレス色の鏡面クロームメッキ仕上げとすることで、双方の表面の見え方を同様とすることができる。連結フレーム部材をステンレスとすることはその存在感を増すことにつながるが、脚部材もステンレス色とすることでフレームになじんで一体感が増し、脚部材の存在を希薄にできる。また、脚部材がメッキ仕上げとされることで、脚部周囲の映り込みが生じるため、脚部材の存在感をより低減できる。
【００２０】
本発明においては、差込部が前記差込口に差し込まれた状態において、連結された前記脚部材と前記連結フレーム部材の上に一体固定されるスペーサ部材を備えて構成できる。これにより、厨房台用架台の一体性を増し、その強度を高めることができ、ひいては脚部材の対荷重強度を増すことに寄与することができる。
【００２１】
具体的にいえば、スペーサ部材は、連結された脚部材と連結フレーム部材のそれぞれの上面をまたがる形で載置され、それぞれに対し一体に固定される形で構成できる。これにより、スペーサ部材は、連結された脚部材と連結フレーム部材の抜け止めとして機能し、これによって全体の一体性・強度を増すことができる。
【００２２】
また、差込部が差込口に差し込まれる形で連結された脚部材と連結フレーム部材は、それら上面を面一の平坦面として形成することができる。これにより、それら平坦な上面の上にスペーサ部材を安定して載置し、固定することができる。また、スペーサ部材の下面に対し、面一の平坦面をなす脚部材と連結フレーム部材の上面が、面接触する形で一体固定されれば、双方の一体性がより一層増すから、より高い強度の厨房台用架台とすることができる。
【００２３】
本発明において、連結フレーム部材は、各々が、厨房台本体の底面側四隅に位置する脚部材をつなぐ形で連結し、全体が前記厨房台本体の底面外周に沿って環状に配置される一方、スペーサ部材は、前記厨房台本体の底面外周に沿った環状のフレーム部材として形成されており、前記連結フレーム部材の上面に対し環状の接触面を有する形で一体に固定、例えば溶接固定されるよう構成できる。この構成によれば、スペーサ部材は、強度にあまり貢献しないの中央部を省略した環状形状となるので、無駄な構造部分を省略した形状となる。また、環状形状をなすスペーサ部材は、角パイプを、溶接などで一体固定する形で容易に作成することができる。
【００２４】
本発明において、スペーサ部材は、環状に形成された前記連結フレーム部材に対し内側に偏った位置に一体に固定される環状のフレーム部材であり、その外周面が、その上に設置される厨房台本体の外縁位置よりも内側に位置するように構成できる。これにより、厨房台本体が設置されたときに、スペーサ部材が内側に引っこんでいるため見えにくく、その存在感を消すことができる。
【００２５】
本発明において、スペーサ部材は、その外周面が前記厨房台本体の底面外縁位置よりも内側に位置する一方で、前記連結フレーム部材は、その外周面が前記スペーサ部材の外周面よりも外側に位置し、前記厨房台本体の底面外縁位置と一致するよう構成できる。この構成によると、スペーサ部材上の厨房台本体と、スペーサ部材下の連結フレーム部材及び脚部材との外周位置が揃っているので、デザイン性を低下させることがない。
【００２６】
また、本発明において、スペーサ部材の外周面と、厨房台本体の底部の外周面とが面位置となるよう構成され、双方の外周面にまたがる形で化粧薄板を取り付けてもよい。これにより、スペーサ部材と厨房台本体のつなぎ目を隠すことができ、デザイン性の低下を防ぐことができる。
【００２７】
本発明において、脚部材は、下側が棒状の脚部として形成されており、当該脚部の水平断面の外縁形状は、第一側において、その先端からその逆の第二側に向かうに従い滑らかに幅が広がる湾曲形状をなし、第二側においても、その先端からその逆の第一側に向かうに従い滑らかに幅が広がる湾曲形状をなすとともに、第一側における先端の湾曲形状の内接円の半径が、第二側における先端の湾曲形状の内接円の半径よりも小となる形で形成することができる。この構成によると、脚部材の脚部は、普通の円柱状の脚部から、余計な肉を削ぎ落とした、より細い形状となるため、その存在感をより希薄なものとすることができる。
【００２８】
本発明におけるスペーサ部材はスチール製とされ、該スペーサ部材上に前記厨房台本体を載置した状態で、金属用ビスを、該厨房台本体の底部を形成する底板に対し上方からスペーサ部材に到達させる形でねじ込むことにより、双方が一体に固定された一体構造体とされるよう構成することができる。これにより、金属用ビスによって厨房台本体と厨房台用架台とを容易にかつ強固に一体化することができる。
【００２９】
本発明においては、スペーサ部材の環状の上面を平坦面とし、厨房台本体の底面も平坦面とすることで、それら双方の面をピッタリと密着した状態で固定することができる。これにより、スペーサ部材を有する厨房台用架台と、厨房台本体との一体性をより増した形で双方を固定することができるから、強度を増すことができる。
【００３０】
また、本発明においては、環状の前記スペーサ部材の上面全面に対し、前記厨房台本体の底面が面接触する形で載置され、該厨房台本体の底板の、該スペーサ部材との面接触領域に対し前記金属用ビスをねじ込むことにより、該底板と前記スペーサ部材とを締結固定することができる。これにより、スペーサ部材を有する厨房台用架台と、厨房台本体との一体性をさらに増した形で双方を固定することができるから、強度をさらに増すことができる。
【００３１】
本発明の厨房台は、スペーサ部材と連結フレーム部材と脚部材とが一体化された環状の厨房台用架台の最上面を形成する環状の前記スペーサ部材上に厨房台本体が載置され、当該厨房台本体の底部外周に沿って、金属用ビスで双方を固定していくことにより、双方が一体に固定された一体構造体とすることができる。
【００３２】
また、本発明の厨房台において、前記連結フレーム部材は、当該厨房台本体の底面外周に沿った環状のフレーム部材として形成されており、その内側において、当該厨房台本体の底面に、その底面を支持するために床面上に設置される補助脚部材を固定することができる。この構成によれば、例えば間口が４０００ｍｍを超えるような厨房台の場合は、厨房台の底面側四隅に設けられた脚部材だけでは、支持できない可能性もある。この場合には、人の目線からは見えない位置に補助脚部材を設けることで、浮遊感を感じられるデザインを損ねることなく、厨房台本体を支持することが可能となる。
【００３３】
また、厨房体本体が、間口方向に横並びする複数の収納部を固定して一体化された収納ユニットである場合には、補助脚部材は、それら隣接する収納部の端部間をまたがる形で配置することができる。これにより、間口方向に横並びする収納部を効率的に支持できる。この場合、補助脚部材は、そのうちの一方の収納部に対し上端部が固定される一方、他方の収納部に対しては非固定で当該上端部の上に載置された状態とすることができる。これにより、以下のようにして、収納部を厨房台用架台上に効率的に載置することができる。即ち、補助脚部材の上端部半分が固定された収納部を、その補助脚部材の上端部の残り半分が厨房台の間口方向に露出する形で、厨房台用架台上に載置し、次の収納部を、その露出した補助脚部材上端部の残り半分に載置する形で配置することで、双方の収納部を支持した状態とする。これ以外の方法としては、厨房台用架台上に載置した収納部の底面に対し補助脚部材を固定する方法や、隣接する収納部の双方に対し予め補助脚部をネジ等で固定し、固定された複数の収納部を厨房台用架台上に載置するという方法が考えられるが、前者は裏面からのネジのねじ込み作業が困難であるし、後者は、収納部の数が増えるほど重くなるから厨房台用架台上に載置する作業が困難となる。上記した本発明の方法であれば、補助脚部材の上端部半分が固定された収納部を、１つ１つ厨房台用架台上に載置していくだけでいいので、作業効率が非常によい。
【図面の簡単な説明】
【００３４】
【図１】本発明の厨房台の一実施形態を示す斜視図。
【図２】図１の厨房台の正面図及び側面図。
【図３】本発明の厨房台用架台の第一実施形態を示す正面図。
【図４】図３の厨房台用架台の側面図。
【図５】図３の厨房台用架台の平面図。
【図６】図３の厨房台用架台の底面図。
【図７】図３のＡ−Ａ部分拡大図。
【図８】図５のＢ−Ｂ断面拡大図。
【図９】図７のＣ−Ｃ断面拡大図。
【図１０】図３の厨房台用架台の分解図。
【図１１】脚部材の平面図及びその部分拡大図。
【図１２】脚部材の正面図及びその部分拡大図。
【図１３】図１１のＦ−Ｆ断面図及びその部分拡大図。
【図１４】図２のＤ−Ｄ部分拡大図及びＥ−Ｅ部分拡大図。
【図１５】本発明の厨房台の第二実施形態を示す底面図。
【図１６】補助脚部材の正面図、断面図、及び斜視図。
【図１７】図３の実施形態とは異なる実施形態の厨房台用架台の部分断面拡大図。
【図１８】厨房台用架台と厨房台本体との一体固定状態を示す斜視図。
【図１９】補助脚部材を設ける場合において、厨房台用架台と厨房台本体との組み付け方法を説明する図。
【図２０】補助脚部材を設ける場合において、厨房台用架台と厨房台本体との一体固定状態を示す斜視図。
【図２１】本発明の厨房台において、補助脚部材を設けた実施形態を示す斜視図。
【図２２】図２１の厨房台の正面図及び側面図。
【発明を実施するための形態】
【００３５】
以下、本発明の厨房台及び厨房台用架台の一実施形態を、図面を参照して説明する。
【００３６】
図１は、本発明の一実施形態である厨房台の斜視図であり、図２はその正面図及び側面図である。また、図３は、図１の厨房台に使用している厨房台用架台の正面図、図４はその側面図、図５はその平面図、図６はその底面図である。
【００３７】
図１及び図２に示す厨房台１は、厨房家具の一つである厨房台であって、その本体部（厨房台本体）の一つである収納ユニット（フロアキャビネット）２と、該収納ユニット２を下側（底側）で支持するために床面４００上に設置される４本の比較的細い脚部を有した厨房台用架台（厨房台支持部材：ここでは収納ユニット支持部材といえる）１００と、を備える。本体部をなす収納ユニット２には、上面にシンク２０２及び加熱機器２０１が間口方向に横並びし、底面が四角形状を有している。ここでは、シンク２０２と加熱機器２０１の間に作業スペース２０３も設けられており、間口の広い厨房台１となっている。
【００３８】
本体部をなす収納ユニット２の間口（即ち、厨房台１の間口）は、奥行き幅に対する２倍以上の長さを有する。本実施形態においては、奥行き幅が６５０ｍｍ以上（本実施形態では６５０ｍｍや７５０ｍｍを規格として有するものとする）であり、間口ｌは１３００以上とすることができるが、実際には奥行き幅ｄが６５０ｍｍで間口ｌが１５００ｍｍ以上を有して構成されている。さらには間口ｌが１８００以上、さらに間口ｌが２４００ｍｍ以上、さらには４０００ｍｍとして構成しても、後述する本発明の構造とすることで、４本の細い脚部材１０１を有する形で十分に支持可能であることを確認している。つまり、間口の広いサイズであっても４本の細い脚部に支持できることが本発明の最大の特徴であり、間口が長ければ長いほど効果的である。
【００３９】
収納ユニット２には、ワークトップをなす天板上にガスコンロ等の加熱機器２０１やシンク２０２、作業スペース２０３、水洗２０４が設けられるとともに、正面側（作業面側）には引出し等の収納部２００が設けられ、複数の収納部が形成されている。なお、符号２Ａは、収納ユニット２を正面（又は背面でもよい）側から被覆する化粧パネル（ここでは引出しの前板：開き戸等の戸板でもよい）であり、符号２Ｂは、収納ユニット２を側面側から被う化粧パネル（サイドパネルともいう）である。
【００４０】
図３は、厨房台１に設けられた厨房台用架台１００の正面図（背面図ともいえる）であり、図４はその側面図（左右共通）、図５はその平面図、図６はその底面図である。
【００４１】
厨房台用架台１００は、収納ユニット２を下側で支持するために、床面４００上に設置される４本の脚部材１０１と、それら脚部材１０１を連結して一体化するための複数の連結フレーム部材１０３と、を備える。そして、脚部材１０１と連結フレーム部材１０３とのいずれか一方に設けられた差込口１０３ｈに対し他方に設けられた差込部１１２が差し込まれ、双方が嵌合した形で連結されており、さらにはネジ等の締結部材１１４ａ，１１４ｂ（図１３参照）により締結固定されることにより、それら全ての脚部材１０１と連結フレーム部材１０３とが一体化された１つの支持用の構造体となっている。
【００４２】
本実施形態においては、収納ユニット２の底面外周の四隅の位置を脚部材１０１が支持するよう構成されており、各連結フレーム部材１０３は、それら各支持位置にある脚部材１０１のうち、該収納ユニット２の底面外周に沿って（外周の周方向において）互いが隣接する脚部材１０１と連結している。これにより、収納ユニット２の底面外周に沿った環状の構造体が形成されている。ここでは、収納ユニット２の底面が四角形状をなしているから、当該構造体も、図５及び図６に示すように、中央を四角形状に取り囲む環状形状を有している。ここでは、形状が共通となる４つの脚部材１０１と、２つの第一の連結フレーム部材１０３ａ（１０３）と、それよりも短い２つの第二の連結フレーム部材１０３ｂ（１０３）とを有して構成されている。
【００４３】
脚部材１０１は、収納ユニット２の底面外周の四隅の位置を支持するものである。ここでは、収納ユニット２の底面が四角形状をなしており、脚部材１０１は、該底面の各角部に配置された、収納ユニット２を支持する脚として機能している。脚部材１０１は、図１２及び図１３に示すように、予め定められた複数の水平方向に向かって延出する差込部１１２が設けられる上端部１１１と、上端部１１１から下方に延出する棒状の脚部（脚部材１０１の下部）１１０と、を備える。
【００４４】
脚部１１０は、図７及び図８に示すように、少なくとも５０ｍｍ以上２１５ｍｍ以下（ここでは５０ｍｍ以上１６５ｍｍ以下）の一定高さｈを有し、かつ水平断面が１０ｍｍ以上３０ｍｍ以下の直径ｒの外接円を有する形状とされている。さらに、本実施形態の脚部１１０は、図９に示すように、水平断面の外接円１１０よりも断面面積が小となる形状とされており、高さｈは、５０ｍｍ以上１６５ｍｍ以下とされ、水平断面の外接円の直径ｒは１５ｍｍ以上１８．５ｍｍとされている。なお、水平断面の外接円の直径ｒの下限を上記で１０ｍｍとしているのは、それ以下とすると設置面（床面４００等）に突き刺さる可能性を考慮するからであって、設置面上に問題なく載置できるのであれば、１０ｍｍ以下でもよい。
【００４５】
本実施形態においては、図９に示すように、脚部１１０を、厨房台用架台１００に対して一体に見せ、なおかつより細く見せるために、脚部１１０を厨房台用架台１００として一体に見たときの４つの角部の外側の面（図９の符号１１０ｂ側の外周面）を、アールを有する湾曲面として形成してから、脚部１１０を角柱とした場合よりも丸い印象を有し、より細く見える。さらに、当該アール部分以外の部分を丸く削ぎ落とした断面形状となっており、脚部１０１の太さが一層引き立てられるデザインとなっている。また、本実施形態の脚部１１０は、その水平断面の外縁形状が、第一側の先端１１０ａからその逆の第二側に向かうに従い滑らかに幅が広がる第一側湾曲形状と、第二側の先端１１０ｂからその逆の第一側に向かうに従い滑らかに幅が広がる第二側湾曲形状とを有した形状をなす。そして、第一側湾曲形状の先端１１０ａにおける内接円の半径が、第二側湾曲形状の先端１１０ｂにおける湾曲形状の内接円の半径よりも小となる形で、第一側が細くなる略卵型の形状をなす。従来の脚部であれば、円柱状（例えば符号１１０’参照）に形成されることが多いが、ここではその円柱状の脚部から、余計な肉を削ぎ落とした、より細い形状とされている。脚部１１０は、その外周壁面の内側（収納ユニット２の底面中央側の表面）が、上方となるに従い、水平方向に延出する差込部１１２側に向けて湾曲し（反り）、上端部１１１の下面１１１ｍに滑らかに繋がっている。
【００４６】
また、本実施形態の脚部１１０は、収納ユニット２の底面角部に位置しており、その水平断面の第一側の先端１１０ａは、図９に示すように、収納ユニット２の底面中央を向き、第二側の先端１１０ｂがそれとは逆で収納ユニット２の底面角部から外を向く形で取り付けられている。そして、脚部１１０の第二側（符号１１０ｂ側）の面は、上端部１１１の第二側の面も含めて同一の湾曲形状をなし、平面視及び底面視において同一の曲線として表れている（図１１（ａ）の左下角部（平面視）や図９左下の角部（底面視））。また、脚部１１０の第二側（符号１１０ｂ側）の面は、平面視及び底面視において、上端部１１１の第二側先端１１０ｂから外側にむけて湾曲する形で離間していき、その両端１１０ｃ，１１０ｃから第一側（符号１１０ａ側）の湾曲形状をなす面へと切り替わる。
【００４７】
また、本実施形態の脚部１１０は、図１３に示すように、脚部上部１１０Ａと脚部下部１１０Ｂを有し、高さ方向における互いの固定位置を調整可能である。これにより、脚部１１０全体の高さを調整することができる。具体的に言えば、脚部１１０の上部１１０Ａ及び下部１１０Ｂのいずれか一方から他方に向けて突出するネジ部（ここでは脚部下部１１０Ｂの下端部１１０Ｂ２の上端から上方に突出するネジ部）１１０Ｂ１を、他方に形成されたネジ穴（ここでは脚部上部１１０Ａの下端にて上方に開口するネジ穴）１１０Ａ１にねじ込む形で固定されており、そのねじ込み量に応じて、脚部１１０の高さを所定範囲内（５０ｍｍ以上２１５ｍｍ以下：ここでは５０ｍｍ以上１６５ｍｍ以下）で調整することができる。なお、脚部下部１１０Ｂの下端部１１０Ｂ２には、その下端にて下方に開口する開口部が形成されている。
【００４８】
本実施形態の上端部１１１は、図７に示すように、予め定められた水平な複数の方向に向かって延出するとともに、その先からは内に狭幅となる段差部を介して当該延出方向に向かってさらに突出する差込部１１２を有する。ここでは、図１１（ａ）に示すように、差込部１１２は、収納ユニット２の底面角部から、直角をなす２つの外周方向に向けて水平に延出する突出部として形成され、上面視Ｌ字状の形状をなしている。
【００４９】
差込部１１２は、図１２（ａ）に示すように、その基端部（上端部側端部）１１２ｒにおいて、上下面１１２ｒ１，１１２ｒ２及び両側面１１２ｒ３，１１２ｒ４がそれぞれ互いに平行な平坦面として水平に延出する。そして、基端部１１２ｒから先は、図１２（ｂ）に示すように、先端部１１２ｓに向けて先細りの形状となっている。具体的に言えば、差込部１１２の基端部１１２ｒから先の上面１１２ｐ１が、先端部１１２ｓに向けて角度θｐ１だけ下る傾斜面を有して形成される。また、差込部１１２の基端部１１２ｒから先の両側面（左右側面）１１２ｐ３，１１２ｐ４は、図１１（ｂ）に示すように、先端部１１２ｓに向かうほど内向きに角度θｐ３，θｐ４だけ傾斜する形で互いに接近する傾斜面を有して形成される。また、それら両側面（左右側面）１１２ｐ３，１１２ｐ４の先は、面取り面１１２ｔが形成され、さらに狭幅となっている。一方で、差込部１１２の基端部１１２ｒから先の下面１１２ｐ２は、水平な平坦面として形成されている。これにより、差込口１０３ｈへの挿入が容易となるだけでなく、基端部１１２ｒまで挿入された状態とすることで、その連結強度が増す。なお、θｐ１，θｐ３，θｐ４は０．５°以上３°以下であり、ここでは１°とされている。
【００５０】
連結フレーム部材１０３は、図１０に示すように、直線状に延出し、なおかつ図８に示すように、内部が空洞となる筒形状をなした中空フレーム部材として形成されており、図１２及び図１３に示すように、その端部１０３Ａがそのまま差込口１０３ｈとして利用されている。差込口１０３ｈは、差込部１１２の外周を（差込方向回りの面）にて取り囲む筒形状にて形成されるものであり、ここでは、差込部１１２が、収納ユニット２の底面角部から、互いに直角をなす２つの外周方向に向けて水平に延出する四角柱状突出部として形成されている。また、連結フレーム部材１０３は、ここでは断面四角形状の角パイプとして形成されており、差込口１０３ｈは、当該角パイプの端部１０３Ａに相当し、四角柱状突出部を収容する四角形状の開口とされている。つまり、四角柱状に開口した差込口１０３ｈに、該開口の開口幅よりもわずかに狭い略同形の四角柱状の差込部１１２が嵌め込まれ、嵌合状態となる。なお、本実施形態においては、内部が空洞となる筒形状の連結フレーム部材１０３に対し、脚部材１０１は内部が充填された構造体（ただし脚部下部１１０Ｂは除く）とされ、高い剛性を有している。
【００５１】
また、連結フレーム部材１０３は、図７に示すように、上面１０３ｎが平坦面として形成される一方で、脚部材１０１は、差込部１１２が設けられる上端部１１１の、該差込部１１２を除く上端面１１１ｎが平坦面として形成されており、該差込部１１２が連結フレーム部材１０３の端部１０３Ａの差込口１０３ｈに差し込まれた際には、該連結フレーム部材１０３の上面１０３ｎと脚部材１０１の上端面１１１ｎとが面一でつながる。同様に、連結フレーム部材１０３は、下面１０３ｍが平坦面として形成される一方で、脚部材１０１は、差込部１１２が設けられる上端部１１１の、該差込部１１２を除く下端面１１１ｍが、脚部１１０の内壁面から続くなめらかな湾曲面として形成されており、該差込部１１２が連結フレーム部材１０３の端部１０３Ａの差込口１０３ｈに差し込まれた際には、該連結フレーム部材１０３の下面１０３ｍと脚部材１０１の下端面１１１ｍとが滑らかに連続する形でつながる。さらに、図９に示すように、上端部１１１の外側側面（収納ユニット２の中央側とは逆の隣接する側面）１１１ｌの差込部１１２側も平坦面として形成されており、該差込部１１２が差込口１０３ｈに差し込まれた際には、該連結フレーム部材１０３の外側側面１０３ｌと上端部１１１の外側側面１１１ｌの側面側とが面一でつながる。これらにより、連結フレーム部材１０３と、脚部材１０１とからなる構造体に、連続性・一体感が生まれる。なお、図９に示すように、差込部１１２が差込口１０３ｈに差し込まれた際には、連結フレーム部材１０３ａと連結フレーム部材１０３ｂの内側（収納ユニット２の中央側）の先端同士により角（ここでは直角）１０３ｏが形成されている。
【００５２】
なお、差込口１０３ｈとなる部分（ここでは連結フレーム部材１０３の端部１０３Ａ）には、図１３（ａ）に示すように、その上面１０３ｎを形成する上面部１０３Ｎ及びその下面１０３ｍを形成する下面部１０３Ｍ（いずれかでもよい）にネジ部材１１４を挿通させる挿通孔１１３ａ，１１３ｂが予め設けられ、差込部１１２には、ネジ穴１１２ａ，１１２ｂが予め設けられている。そして、差込口１０３ｈに差込部１１２が差し込まれた状態において、図１３（ｂ）に示すように、挿通孔１１３ａ，１１３ｂを挿通する形でネジ穴１１２ａ，１１２ｂにネジ部材１１４ａ，１１４ｂをねじ込むことにより、差込口１０３ｈに差込部１１２が固定されている。本実施形態においては、差込部１１２には、その長さ方向において２か所、具体的に言えば、基端部１１２ｒと先端部１１２ｓとの双方にネジ穴１１２ａ，１１２ｂが設けられている。さらに、ネジ穴１１２ａ，１１２ｂは、それぞれの箇所（基端部１１２ｒと先端部１１２ｓ）において複数ずつ（ここでは２個ずつ）存在する。ここでは、それらネジ穴１１２ａ，１１２ｂを、差込部１１２の幅方向に例えば２個ずつ並んで設けられている。
【００５３】
また、本実施形態においては、各連結フレーム部材１０３が各脚部材１０１をつなぐ形で連結して一体となった状態（全ての連結フレーム部材１０３と差込部１１２が差込口１０３ｈに差し込まれた状態）において、連結された脚部材１０１と連結フレーム部材１０３の上には、スペーサ部材１０２が一体固定される。連結フレーム部材１０３がステンレスでできているため、例えばスチール製のスペーサ部材１０２を介在させることにより、金属ビス等の締結部材９９を用いて収納ユニット２から厨房台用架台１００への固定が容易となる。
【００５４】
つまり、図１８に示すように、スペーサ部材１０２と連結フレーム１０３部材と脚部材１０１とが一体化された環状の厨房台用架台１００の最上面として環状の平坦面１０２ｎ（図７参照）を形成する環状のスペーサ部材１０２上に、収納ユニット（厨房台本体）２が面接触する形で載置され、その上で、締結部材９９を、該収納ユニット（厨房台本体）２の底部を形成する底板２Ｄに対し上方からスペーサ部材１０２まで到達させることにより、双方が一体に固定される。ここでは、収納ユニット２の底部２Ｄを、その外周に沿って、締結部材９９で固定していく。具体的にいえば、スチール製のスペーサ部材１０２上に収納ユニット（厨房台本体）２を載置した状態で、金属用ビス９９を、該収納ユニット２の底部を形成する底板の、該スペーサ部材との面接触領域に対し、上方からスペーサ部材１０２まで到達するまでねじ込むことにより、双方が一体に固定された一体構造体となっている。これにより、厨房台用架台１００と収納ユニット２も一体化されて双方の一体構造体が形成される。底板２Ｄの上方から金属用ビス等の締結部材９９を固定していくだけであるから、固定作用としては比較的容易である。
【００５５】
スペーサ部材１０２は、図１０（ａ）に示すように、収納ユニット２の底面外周に沿った環状のフレーム部材であって、これを連結フレーム部材１０３の上面１０３ｎに対し一体に固定、例えば溶接固定することにより、それら３部材１０１，１０２，１０３の一体性を増すようにしている。本実施形態のスペーサ部材１０２は、中央を四角形状に取り囲む環状形状を有し、環状の上面１０２ｍが平坦面をなし、環状の下面１０２ｎも平坦面をなしている（図７及び図８参照）。ここでは、長辺をなす互いに平行な２つの第一のフレーム部１０２ａ（１０２）と、それよりも短辺をなす互いに平行な２つの第二のフレーム部１０２ｂ（１０２）とが溶接等で一体固定されて形成されている。また、これら第一のフレーム部１０２ａ及び第二のフレーム部１０２ｂは、連結フレーム部材１０３と同様、直線状に延出し、なおかつ図８に示すように内部が空洞となる筒形状をなした中空フレーム部材（ここでは断面四角形状の角パイプ）にて形成されている。そして、この中空フレーム部材をなすスペーサ部材１０２は、同じく中空フレーム部材をなす連結フレーム部材１０３の上に一体固定されることで、厨房台用架台１００は、中空フレーム部材の二段重ね構造を有した構造となり、その強度を増している。
【００５６】
また、本実施形態のスペーサ部材１０２は、図５及び図８に示すように、環状に形成された連結フレーム部材１０３に対し内側に偏った位置に一体に固定される環状のフレーム部材であり、その外周面１０２ｋが、図１４に示すように、その上に設置される収納ユニット２の外縁位置２ａ，２ｂよりも内側に位置するように構成できる。また、本実施形態のスペーサ部材１０２は、図１４に示すように、その外周面１０２ｋが収納ユニット２の外縁位置２ａ，２ｂよりも内側に位置する一方で、連結フレーム部材１０３は、その外周面１０３ｋがスペーサ部材１０２の外周面１０２ｋよりも外側に位置し、収納ユニット２の外縁位置２ａ，２ｂと一致し、面一となっている。
【００５７】
具体的に言えば、図１４（ａ）に示すように、本実施形態の収納ユニット２の左右方向における外縁位置は、サイドパネル２Ｂの露出表面２ｂの位置であり、スペーサ部材１０２の外周面１０２ｋは、それよりも内側に引っこんだ、サイドパネル２Ｂの裏面（収納ユニット２の本体との固定面）の位置２ｊに存在し、収納ユニット２の本体底部２Ｄの底面外周を被覆する形で取り付けられる。また、図１４（ｂ）に示すように、本実施形態の収納ユニット２の前後方向における外縁位置は、正面又は背面を被覆する板部材（例えば収納部を手前側で被覆する引出しの前板や戸板）２Ａの露出表面２ａの位置であり、スペーサ部材１０２の外周面１０２ｋは、それよりも内側に引っこんだ、板部材２Ａの裏面（収納ユニット２の本体との固定面）の位置２ｉに存在し、収納ユニット２の本体底部２Ｄの底面外周面を被覆する形で取り付けられる。他方、連結フレーム部材１０３と脚部材１０１の外周面１０３ｋ，１０１ｋは、収納ユニット２の外周面となる露出面２ｂ、２ａに一致する位置にある。なお、収納ユニット２の底部２Ｄの外周面２Ｄｋは、スペーサ部材１０２の外周面１０２ｋと同一の平面をなすように形成されるものの、両者の間には材質の違いから境界線が見えてしまうためデザイン性を損ねる可能性がある。このため、収納ユニット２の底部外周面２Ｄｋとスペーサ部材１０２の外周面１０２ｋとにまたがる形で化粧薄板材１０５を貼り付けることにより、デザイン性の低下を防いでもよい。
【００５８】
本実施形態においては、脚部材１０１と連結フレーム部材１０３の表面（露出面）の見え方が同様となるよう形成されており、これにより、脚部材１０１と連結フレーム部材１０３に一体感を生み出し、個別の存在感を希薄化している。ここでは、連結フレーム部材１０３がステンレス製とされる一方で、脚部材１０１は、亜鉛ダイキャストにて形成され、その表面（露出面）がステンレス色の鏡面クロームメッキ仕上げとされている。脚部材１０１がメッキ仕上げとされることで、脚部１１０への周囲の映り込みが生じている。
【００５９】
以上、本発明の一実施形態を説明したが、これはあくまでも例示にすぎず、本発明はこれに限定されるものではなく、特許請求の範囲の趣旨を逸脱しない限りにおいて、当業者の知識に基づく種々の変更が可能である。以下、上記実施形態とは異なる実施形態について説明する。
【００６０】
例えば、収納ユニット２が左右方向に極端に長いような場合（例えば間口３６４０ｍｍ以上の場合）、左右の底面角部の脚部材１０１のみで収納ユニット２を支持するには、強度的に不足する場合がある。こうした場合は、例えば図１５に示すように、収納ユニット２の底面中央部の位置に補助脚部材３を設けて、これが底面角部の脚部材１０１と共に収納ユニット２を支持するように構成してもよい。これにより、人が立った時に目線からは補助脚部材３は視認されない。
【００６１】
図１５では、収納ユニット２の底面外周に沿った環状のフレーム部材として形成された連結フレーム部材１０３の内側において、当該収納ユニット２の底面２Ｃに直接、その底面２Ｃを支持するために床面４００上に設置される補助脚部材３Ａ（３）が、例えばネジなどの締結部材により固定されている。
【００６２】
なお、図１６に示すように、補助脚部材３（３Ａ，３Ｂ）も、脚部材１０１と同様、脚部上部３２と脚部下部３３を有し、高さ方向における互いの固定位置を調整可能である。具体的に言えば、脚部３の上部３２及び下部３３のいずれか一方から他方に向けて突出するネジ部（ここでは脚部下部３３の上端部）３３１を、他方に形成されたネジ穴（ここでは脚部上部３２の下端にて上方に開口するネジ穴）３２１にねじ込む形で固定されており、そのねじ込み量に応じて、脚部３の高さを調整することができる。なお、脚部下部３３は、下端部３３２が筒状に形成されており、下端にも下方に開口する開口部を有する。脚部上部３２における上端部３１は、当該脚部上部３２のねじ穴３２２に対し上方からネジ等の締結部材３０により一体固定されており、収納ユニット２の底面２Ｃや内側フレーム部１０４に対し、ネジ等の締結部材３ｂにより、固定することができる。
【００６３】
ここで、補助脚部材３を用いる場合に、厨房台本体をなす収納ユニット２と、厨房台用架台１００とをどのように組み付けるかを説明する。図１９に示すように、収納ユニット２は、複数の収納部２００（図１９及び図２０の収納部２００は引出し等が取り付けられてない未完成状態の収納部２００’：図１８も同様）を間口方向に横並びして配置され、最終的には、それらの側板同士をネジ等の締結部材９８（図２０参照：図１８も同様）によって締結固定することにより一体化される。補助脚部材３を用いない場合は、それら収納部２００’（２００）をそれぞれ厨房台用架台１００のスペーサ部材１０２上に、間口方向に横並びとなるよう順々に載置し、その上で、隣接する収納部２００’（２００）の側板同士を締結固定すればよい。
【００６４】
ただし、補助脚部材３を用いる場合には、１つの収納部２００’（２００）の底面２Ｃの側方の端縁部中央に対し補助脚部材３の上端部３１（図１６参照）の上面３ａの突出側（ねじ孔３１１側）を接触させ、残りの逆側の面を露出させる形で配置し、上端部３１の底面２Ｃとの接触側にて、底部（底板）２Ｄに対し締結部材３ｂにより締結固定する。その上で、図１９のように、収納部２００’（２００）を厨房台用架台１００のスペーサ部材１０２上に配置する。さらに、同様にして補助脚部材３が一体固定された収納部２００’（２００）を、その一方の側方側底面２Ｃを、先に配置した収納部２００’（２００）に一体固定された補助脚部材３の、露出する上面３ａ上に載置する形で配置し、互いの側板同士を密着した形でネジ等の締結部材９８（図２０参照）によって締結固定する。そして、これを繰り返す形で収納部２００’（２００）を組み付けていき、最終的には図２０のような形に仕上がる。そして、引出しや天板、サイドパネル等を設けることにより、図２１及び図２２に示すような形となる。このとき、補助脚部材３は、図２１及び図２２に示すよう人の目線からは見えない。また、補助脚部材３は、収納部２００と収納部２００にまたがって配置されるため、それら収納部をバランスよく支持することができる。
【００６５】
また、上記実施形態においては、スペーサ部材１０２を用いて厨房台用架台１００を形成しているが、スペーサ部材１０２を省略し、連結フレーム部材１０３及び脚部材の上面にまたがる形で厨房台本体２を一体固定してもよい。
【００６６】
また、上記実施形態においては、脚部材１０１に差込部１１２が、連結フレーム部材１０３に差込口１０３ｈが形成されているが、図１７に示すように、脚部材１０１に差込口２１２ｈが、連結フレーム部材２０３に差込部２０２が形成されていてもよい。
【符号の説明】
【００６７】
１  厨房台（厨房家具）
２  収納ユニット（厨房台本体）
２００  収納部
４００  床面
１００  厨房台用架台（収納ユニット支持部材）
１０１  脚部材
１０３  連結フレーム部材
１０３ｈ  差込口
１１２  差込部
１１１  上端部
１１０  脚部
１０２  スペーサ部材
３  補助脚部材
【図１】
0005748328.tif 000002
【図２】
0005748328.tif 000003
【図３】
0005748328.tif 000004
【図４】
0005748328.tif 000005
【図５】
0005748328.tif 000006
【図６】
0005748328.tif 000007
【図７】
0005748328.tif 000008
【図８】
0005748328.tif 000009
【図９】
0005748328.tif 000010
【図１０】
0005748328.tif 000011
【図１１】
0005748328.tif 000012
【図１２】
0005748328.tif 000013
【図１３】
0005748328.tif 000014
【図１４】
0005748328.tif 000015
【図１５】
0005748328.tif 000016
【図１６】
0005748328.tif 000017
【図１７】
0005748328.tif 000018
【図１８】
0005748328.tif 000019
【図１９】
0005748328.tif 000020
【図２０】
0005748328.tif 000021
【図２１】
0005748328.tif 000022
【図２２】
0005748328.tif 000023